(57)【要約】【課題】  ハーフリムと水糸などの高張力糸の組み合わせでレンズを保持するリムを構成しているメガネフレームであって、レンズ及びフレームをキズ付けることなく、しかも簡単にレンズの取付けが出来るメガネフレームの提供。【解決手段】  水糸４の一方端をハーフリム２に連結・固定し、他方先端にはブローチ９を連結すると共に、該ブローチ９を上記ハーフリム２にネジ止めしている。そこで、レンズ５を嵌める際にはブローチ９のネジを弛めた状態で行う。【選択図】    図１
0003112001.tif 000002
【実用新案登録請求の範囲】
【請求項１】
ハーフリムと水糸などの高張力糸の組み合わせでレンズを保持するリムを構成しているメガネフレームにおいて、上記高張力糸の一方端をハーフリムに連結・固定し、他方先端にはブローチを連結すると共に、該ブローチを上記ハーフリムにネジ止めしたことを特徴とするメガネフレーム。
【請求項２】
上リム部と下リム部にてレンズが嵌るリムを構成するメガネフレームにおいて、上記上下リム部の間に形成される空間であってレンズ外周を拘束しない部分には水糸などの高張力糸を張設し、該水糸の両端を上リム部と下リム部にそれぞれ連結・固定し、そして上下リム部の突合せ端にはブローチを設けると共に、該ブローチをネジ止めすることで上リム部と下リム部を連結したことを特徴とするメガネフレーム。
【考案の詳細な説明】
【技術分野】
【０００１】
本考案はリム部に水糸などの高張力糸を組み合わせてレンズが嵌るリムを構成したメガネフレームに関するものである。
【背景技術】
【０００２】
図７は従来の一般的な金属製メガネフレームであり、フロント部(イ)の両側にはツル(ロ)、(ロ)が折畳み出来るように蝶番(ハ)、(ハ)を介して取付けられている。そしてフロント部(イ)は、両リム(ニ)、(ニ)が連結部材(ホ)にて繋がれ、両リム(ニ)、(ニ)の外側にはヨロイ(ヘ)、(ヘ)がロウ付けされ、又両リム(ニ)、(ニ)の内側には鼻当てパット(ト)、(ト)が取付けられて構成している。
【０００３】
このように、レンズはリング体を形成したリム(ニ)、(ニ)に嵌って保持され、該リム(ニ)、(ニ)の切口が開かないように切口端にロウ付けしたブローチ（図示なし）がネジ止めされた構造と成っている。従って、レンズを着脱する際にはブローチのネジを緩めて行われるが、メガネフレームにはこのブローチを備えない形態を成しているものも存在している。例えば、図８に示すメガネフレームの場合、ブローチは備わっていない。
【０００４】
該メガネフレームでは概略円弧状に湾曲したハーフリム(チ)、(チ)が連結部材(ホ)によって連結され、ハーフリム(チ)、(チ)には水糸(リ)、(リ)が連結している。そして、レンズ(ヌ)はハーフリム(チ)と水糸(リ)とで拘束して保持されている。この場合、水糸(リ)はハーフリム(チ)の両端に連結しているが、レンズ(ヌ)を嵌める際には、該水糸(リ)を多少引き伸ばして取付けなくてはならない。
【０００５】
メガネは顔に掛けて使用する為に色々なデザインが施され、このデザインを形成する為に上記図８の如くブローチを用いることが出来ない場合も多い。勿論、ハーフリム(チ)、(チ)とすることで視界の拡大を図ることも出来る。又、メガネフレームのリム形態として、レンズ外周の一部がリムにて拘束されない空間を形成したものも知られているが、このようなリムの場合にはハーフリム(チ)と同様にレンズ(ヌ)が外れ易くなる。そこで、該レンズの外れ防止対策としてリム空間に水糸を張設することでレンズ外周を拘束する構造とすることが出来る。
【０００６】
ところで、水糸は細くて抗張力が高く、レンズ外周に形成している溝に嵌ることが出来る為に外観上は現れず、デザインが損なわれることはないが、該水糸をレンズ外周溝に嵌める作業が容易でなく、時にはレンズ面にキズを発生したりフレームにもキズが付いてしまうケースが多い。すなわち、水糸の両端はフレームに設けた小さな２個の止着穴に挿通して固定され、該水糸を多少引き伸ばすようにレンズが嵌められる。勿論、水糸の止着穴を１個とすることもある。
【考案の開示】
【考案が解決しようとする課題】
【０００７】
このように、水糸を組み合わせて構成したリムにレンズを嵌める場合には、上記のごとき問題がある。本考案が解決しようとする課題はこの問題点であり、レンズ及びフレームをキズ付けることなく、しかも簡単にレンズの取付けが出来るメガネフレームを提供する。
【課題を解決するための手段】
【０００８】
本考案に係るメガネフレームはリム部と水糸などの高張力糸の組み合わせでリムを構成し、該リムにはレンズが嵌められる。ところで、従来のハーフリム型メガネフレームの場合には、高張力糸の先端にブローチが連結され、ブローチはリム部にネジ止めされて固定される。従って、ネジが弛んでいる状態では高張力糸を伸ばすことなく簡単にレンズを嵌めることが出来、嵌めた後でブローチがネジ止めされる。
【０００９】
一方、リムが上リム部と下リム部で構成されて上下リム部の間にレンズ外周を拘束していない空間を形成しているメガネフレームの場合、この空間部分のレンズ外周を拘束する為の高張力糸を張設している。そして上リム部及び下リム部に高張力糸の両端を固定し、上リム部と下リム部の突合せ先端にはブローチを設けている。ブローチをネジ止めすることで高張力糸がレンズ外周の溝に嵌ってレンズを保持することが出来る。
【考案の効果】
【００１０】
本考案に係るメガネフレームは高張力糸にてレンズ外周の一部を拘束する形態と成っている。しかも、レンズを嵌める際には高張力糸と連結しているブローチをネジ止めすることでレンズを固定することが出来る。従って、レンズをリムに嵌めるに際して、従来のようにレンズ面にキズが付いたり、フレームがキズ付いたりすることはなく、レンズの取付け作業を簡単に出来、しかも特別な熟練は不要となる。
【００１１】
特に、上下リム部にて構成されると共に両リム部間の空間に高張力糸を張設するリム構造の場合、比較的長さが短い高張力糸を引き伸ばしてレンズを嵌めることは容易でないが、ブローチを備えた本考案のメガネフレームの場合には、ブローチを弛めることで簡単にレンズを取付け出来る。
【実施例】
【００１２】
図１は本考案に係るメガネフレームを示す実施例である。フロント部１は概略半円弧を成したハーフリム２，２が連結部材３にて連結され、そして該ハーフリム２，２の下側には水糸４，４が張設されている。すなわち、前記図８に示したハーフリム型メガネフレームである。そこで、レンズ５は上記ハーフリム２と水糸４にて拘束されているが、水糸４はレンズ外周に沿設している溝に嵌ると共に所定の張力が付勢されている。ここで、同図のメガネフレームはハーフリム２，２がレンズ５の上側に、そして水糸４がレンズ５の下側に位置しているが、逆位置にする場合もある。
【００１３】
ところで、ハーフリム２，２の外側にはヨロイ６，６がロウ付けされ、該ヨロイ６，６には蝶番７，７を介してツル８，８が折畳み出来るように取付けられている。従来のハーフリム型メガネフレームでは、図８に示している如く水糸４の両端はハーフリム２の両端に連結・固定された状態にあって、この水糸４を引き伸ばしてレンズ５が嵌められる。しかし、本考案では水糸４の基端は連結部材側のハーフリム端部にて固定されているが、ヨロイ側の先端にはブローチ９が連結している。勿論、ブローチ９を連結部材側に設けることも可能である。
【００１４】
このブローチ９はハーフリム２にロウ付けしているブローチ１０にネジ止めされている。従って、レンズ５を嵌める場合にはブローチ９のネジを緩めた状態で行われる。図２は図１に示すメガネフレームの外側部を表している拡大図であり、ブローチ９には１個又は２個の小さな穴１０，１０が貫通しており、該穴１０，１０には水糸４が挿入・固定される。
【００１５】
従って、ブローチ９のネジ１１を弛めるならば水糸４も弛んでレンズ５を簡単に嵌めることが出来る。レンズ外周の溝に水糸４が嵌ったところでネジ１１を締めるならば、水糸４が引っ張られてレンズ５をハーフリム２に固定することが出来る。従って、レンズ５を嵌める際に水糸４が引っ張られてレンズ面にキズが付くことはない。勿論、レンズ４を嵌める作業に何ら熟練を必要としない。
【００１６】
図３は本考案に係るメガネフレームの他の実施例である。このメガネフレームは前記実施例の場合とは異なり、フロント部１には上リム部１２と下リム部１３が設けられ、レンズ５は上リム部１２と下リム部１３とで挟まれている。そして、フロント部１の中央部ではレンズ５が拘束されない空間１４を有し、この部分には水糸４が張設されてレンズ５を保持した構造と成っている。すなわち、上下リム部１２，１３の間隔が開いてレンズ５が外れることを防止している。
【００１７】
図４はフロント部１の一部拡大図を表しているが、水糸４の両端は上リム部１２と下リム部１３とに固定され、レンズ５は嵌ることで引っ張られてレンズ５の外周溝に嵌って拘束している。この場合も、上リム部１２と下リム部１３には１個又は２個の小さい穴１０，１０・・が貫通し、これら各穴１０，１０・・に水糸４が挿通・固定されている。そして、下リム部１３の外側先端にはブローチ（図示なし）が設けられ、該ブローチはネジ１１を締めることで上リム部１２側へ引かれると共に、水糸４も引っ張られてレンズ５を拘束する。
【００１８】
図５は本考案のさらに別実施例である。このメガネフレームのフロント部１も上リム部１５と下リム部１６を有し、両リム部１５，１６の間には空間１４が形成されて、この部分ではレンズ外周は拘束されていない。従って、この空間部には水糸４が張設されているが、該水糸４の両端は上リム部１５と下リム部１６に固定されている。
【００１９】
図６は図５に示すメガネフレームのフロント部１の部分拡大図であり、空間部のレンズ外周には水糸４が張設されている。そして上リム部１５と下リム部１６に設けた小さな穴１０，１０・・に水糸４が挿入・固定している。下リム部１６の先端にはブローチ１７が設けられ、該ブローチ１７は上リム部１５の先端に設けたブローチ１８にネジ止めされている。勿論、ブローチ１８の位置はメガネフレームのデザインを考慮して適当な位置に設けられ、同図に示す場合に限定されない。
【００２０】
そこで、ブローチ１７のネジを弛めるならば水糸４が弛んでレンズ５を嵌めることが出来、レンズ５が嵌ったところでブローチ１７をネジ締めするならば該水糸４は引っ張られてレンズ外周溝に嵌る。本考案のメガネフレームの形態は上記実施例に示す場合に限定するものはなく、他にも色々な形態として構成することが出来る。
【図面の簡単な説明】
【００２１】
【図１】本考案のメガネフレームを示す実施例。
【図２】図１のメガネフレームのフロント部における一部拡大図。
【図３】本考案のメガネフレームを示す実施例。
【図４】図３のメガネフレームのフロント部における一部拡大図。
【図５】本考案のメガネフレームを示す実施例。
【図６】図５のメガネフレームのフロント部における一部拡大図。
【図７】一般的な金属製メガネフレーム。
【図８】ハーフリム型メガネフレーム。
【符号の説明】
【００２２】
１  フロント部
２  ハーフリム
３  連結部材
４  水糸
５  レンズ
６  ヨロイ
７  蝶番
８  ツル
９  ブローチ
10  穴
11  ネジ
12  上リム部
13  下リム部
14  空間
15  上リム部
16  下リム部
17  ブローチ
18  ブローチ
【図１】
0003112001.tif 000003
【図２】
0003112001.tif 000004
【図３】
0003112001.tif 000005
【図４】
0003112001.tif 000006
【図５】
0003112001.tif 000007
【図６】
0003112001.tif 000008
【図７】
0003112001.tif 000009
【図８】
0003112001.tif 000010